(57)【特許請求の範囲】
【請求項１】
ラッチ部を有し回路基板に固定されるベースコネクタと組み合わされて使用されるソケットコネクタであって、
ソケットハウジングと、該ソケットハウジングの外面に連結されると共に前記ソケットコネクタと前記ベースコネクタとが組み合わされた組み合わせ状態において前記ラッチ部と係合することにより前記ソケットコネクタと前記ベースコネクタとの結合状態を維持するロックアームとを備え、
前記ロックアームは、前記組み合わせ状態において前記ソケットコネクタから前記ベースコネクタに向かう第１方向に延びるフック部と、該第１方向と反対向きの第２方向に延びる力点部と、前記フック部と前記力点部の間に位置し前記ソケットハウジングの外面に連接される支点部とを備え、該支点部を中心に前記フック部及び前記力点部が回動可能に構成されており、
前記支点部は、前記ソケットハウジングの外面から、前記ソケットコネクタにおける前記ロックアームの回動軸に沿う第３方向に直交する第４方向であって前記第１方向に直交し且つ前記ロックアームに向かう第４方向に沿って、延びており、
前記支点部は、前記組み合わせ状態において前記ベースコネクタにおける前記第２方向側の端面と当接する当接面であって前記ソケットハウジングにおける該支点部と連接する連接部に位置する当接面よりも、前記第１方向側に位置しており、
前記ソケットハウジングには、前記連接部における前記第１方向側に、該第１方向側に開放する開放空間であって、前記組み合わせ状態において前記ベースコネクタにおける前記ラッチ部が連結される周壁部が収容される開放空間が、形成されていることを特徴とするソケットコネクタ。
【請求項２】
前記連接部には、該第１方向側に開口する第１切り欠き部が設けられていることを特徴とする請求項１に記載のソケットコネクタ。
【請求項３】
前記支点部における前記第１方向側には、該第１方向側に開口する第２切り欠き部が設けられていることを特徴とする請求項１に記載のソケットコネクタ。
【請求項４】
前記支点部における前記第２方向側には、該第２方向側に開口する第３切り欠き部が設けられていることを特徴とする請求項１に記載のソケットコネクタ。
【発明の詳細な説明】
【技術分野】
【０００１】
本発明は、回路基板に固定されるベースコネクタと組み合わされて使用されるソケットコネクタに関する。
【背景技術】
【０００２】
従来より、回路基板に固定されたベースコネクタと、ソケットコネクタとからなるコネクタ対（以下「ソケット−ベースコネクタ対」ともいう）が知られている。また、ソケット−ベースコネクタ対においては、ソケットコネクタとベースコネクタとの結合状態を維持する構成として、ソケットコネクタのソケットハウジングにロックアームを設けると共に、ベースコネクタのベースハウジングにラッチ部を設けたものがある（例えば、下記特許文献１参照）。
【０００３】
図２３は、従来のソケットコネクタにおけるソケットハウジングを、ロックアームの支点部を通るように切断した断面図である。図２３に示すように、従来のソケットコネクタ１１０においては、ロックアーム１１５は、フック部１１５ａと、力点部１１５ｂと、フック部１１５ａと力点部１１５ｂの間に位置し且つソケットハウジング１１２の外面に連接されるヒンジ状の支点部１１５ｃとを備え、支点部１１５ｃを中心にフック部１１５ａ及び力点部１１５ｂが回動可能に構成されている。ラッチ部（図示せず）は、ベースハウジングの外面に連接される爪部を有する。
【０００４】
ロックアーム１１５及びラッチ部によれば、ソケットコネクタ１１０とベースコネクタとが組み合わされた組み合わせ状態において、ロックアーム１１５のフック部１１５ａとラッチ部とが係合されることにより、ソケットコネクタ１１０とベースコネクタとの結合状態を維持することができる。
【０００５】
また、ソケットハウジング１１２には、支点部１１５ｃと連接する連接部１１８における第１方向（前記組み合わせ状態において、ソケットコネクタ１１０からベースコネクタに向かう方向）Ｄ１側に、第１方向Ｄ１側に開放する開放空間１２０が形成されている場合が多い。そして、開放空間１２０は、前記組み合わせ状態において、ベースハウジングにおけるラッチ部が連結される周壁部が収容される空間として機能し、該周壁部が収容された場合には、連接部１１８における第１方向Ｄ１側の面は、ベースコネクタとの当接面１２１となる。当接面１２１とは、前記組み合わせ状態において、ベースコネクタにおける第２方向（第１方向Ｄ１と反対向きの方向）Ｄ２側の端面と当接すると共に連接部１１８に位置する面である。
【０００６】
ところで近年、ソケット−ベースコネクタ対においては、回路基板が内蔵される機器の小型化、薄型化などに伴い、その更なる薄型化が望まれている。
【０００７】
【特許文献１】特開２０００−２００６５３号公報
【発明の開示】
【発明が解決しようとする課題】
【０００８】
しかし、図２３に示すような従来のソケット−ベースコネクタ対を単純に薄型化した場合には、ソケットコネクタ１１０において以下の不具合が発生する。
具体的には、ソケットコネクタ１１０においてロックアーム１１５を回動させるには、力点部１１５ｂの先端近傍を押す必要があるが、ソケットコネクタ１１０を単純に薄型化した場合には、支点部１１５ｃから力点部１１５ｂの先端までの距離が非常に短くなる。そのため、力点部１１５ｂを押してロックアーム１１５を回動させることができないか、あるいは非常に困難となり、実使用上問題となる。
【０００９】
従って、本発明は、ラッチ部を有し回路基板に固定されるベースコネクタと組み合わされて使用されるソケットコネクタにおいて、その薄型化とロックアームの回動性の確保を両立することができるソケットコネクタを提供することを目的とする。
【課題を解決するための手段】
【００１０】
（１）本発明は、ラッチ部を有し回路基板に固定されるベースコネクタと組み合わされて使用されるソケットコネクタであって、ソケットハウジングと、該ソケットハウジングの外面に連結されると共に前記ソケットコネクタと前記ベースコネクタとが組み合わされた組み合わせ状態において前記ラッチ部と係合することにより前記ソケットコネクタと前記ベースコネクタとの結合状態を維持するロックアームとを備え、前記ロックアームは、前記組み合わせ状態において前記ソケットコネクタから前記ベースコネクタに向かう第１方向に延びるフック部と、該第１方向と反対向きの第２方向に延びる力点部と、前記フック部と前記力点部の間に位置し前記ソケットハウジングの外面に連接される支点部とを備え、該支点部を中心に前記フック部及び前記力点部が回動可能に構成されており、前記支点部は、前記組み合わせ状態において前記ベースコネクタにおける前記第２方向側の端面と当接すると共に前記ソケットハウジングにおける該支点部と連接する連接部に位置する当接面よりも前記第１方向側に位置していることを特徴とする。
【００１１】
（２）前記連接部には、該第１方向側に開口する第１切り欠き部が設けられていることが好ましい。
【００１２】
（３）前記支点部における前記第１方向側には、該第１方向側に開口する第２切り欠き部が設けられていることが好ましい。
【００１３】
（４）前記支点部における前記第２方向側には、該第２方向側に開口する第３切り欠き部が設けられていることが好ましい。
【発明の効果】
【００１４】
本発明によれば、ラッチ部を有し回路基板に固定されるベースコネクタと組み合わされて使用されるソケットコネクタにおいて、その薄型化とロックアームの回動性の確保を両立することができる。
【発明を実施するための最良の形態】
【００１５】
以下に、本発明の第１実施形態について、図面を参照しながら説明する。
図１は、本発明の第１実施形態のソケットコネクタとベースコネクタとを分離した状態でベースコネクタ側から視た斜視図である。図２は、第１実施形態のソケットコネクタとベースコネクタとを組み合わせた状態でベースコネクタ側から視た斜視図である。図３は、組み合わされた状態のソケットコネクタ及びベースコネクタを、図９に示すＡ−Ａ線で切断した断面図である。図４は、第１実施形態のソケットコネクタにおけるソケットハウジングの斜視図である。図５は、図４に示すソケットハウジングについて、ロックアームの支点部１５ｃを通り且つ第３方向Ｄ３に沿って切断した断面図である。
【００１６】
図６は、図４に示すソケットハウジングについて、図１０に示すＢ−Ｂ線で切断した断面図である。図７は、図４に示すソケットハウジングについて、図９に示すＡ−Ａ線で切断した断面図である。図８は、第１実施形態のソケットコネクタと組み合わせて使用されるベースコネクタを示す斜視図である。図９は、図４に示すソケットハウジングの平面図である。図１０は、図４に示すソケットハウジングの底面図である。
【００１７】
本発明のソケットコネクタは、ベースコネクタと組み合わされて使用されるコネクタである。
まず、第１実施形態のソケットコネクタ１０と組み合わされて使用されるベースコネクタ３０について説明する。
【００１８】
なお、以下の説明において、ソケットコネクタ１０とベースコネクタ３０とが組み合わされた状態を「組み合わせ状態」という。また、前記組み合わせ状態において、ソケットコネクタ１０からベースコネクタ３０に向かう方向を「第１方向Ｄ１」という。第１方向Ｄ１と反対向きの方向を「第２方向Ｄ２」という。ソケットコネクタ１０におけるロックアーム１５の回動軸に沿う方向を「第３方向Ｄ３」という。第１方向Ｄ１及び第３方向Ｄ３に直交すると共にロックアーム１５又はラッチ部３６に向かう方向を「第４方向Ｄ４」という。第４方向Ｄ４と反対向きの方向を「第５方向Ｄ５」という。
【００１９】
図１〜図３及び図８に示すように、ベースコネクタ３０は、回路基板４０の表面に固定されるコネクタである。ベースコネクタ３０は、合成樹脂からなるベースハウジング３１と複数の端子３５とを備えている。ベースハウジング３１は、平面視で（第１方向Ｄ１に視た場合に）略矩形状の底板部３８と、略矩形状の底板部３８の３辺から立設する平面視で略「コ」字状の周壁部３２とを備えている。周壁部３２は、必ずしも連続していないが、全体として略「コ」字状となっている。
略「コ」字状の周壁部３２は、第４方向Ｄ４側に位置すると共に第３方向Ｄ３に延びる前壁部３２ａと、前壁部３２ａの両端部から第５方向Ｄ５に延びる一対の側壁部３２ｂ，３２ｂとを備える。前壁部３２ａにおける第４方向Ｄ４側の外面に、ラッチ部３６が設けられている。
【００２０】
図８に示すように、ベースコネクタ３０の底板部３８における第４方向Ｄ４（前壁部３２ａ）側の領域は、第２方向Ｄ２側に盛り上がり、台座部３４を形成している。台座部３４は、前壁部３２ａに隣接して、第３方向Ｄ３に沿って延びる直方体形状を有している。台座部３４における第３方向Ｄ３の中央部には、第１方向Ｄ１に凹むと共に第４方向Ｄ４に沿って延びる逃げ部３３が形成されている。逃げ部３３は、組み合わせ状態において、ソケットコネクタ１０におけるストッパ２３（詳細は後述）との干渉を避けるために設けられる。
【００２１】
また、図１及び図８に示すように、前壁部３２ａにおけるラッチ部３６よりも第３方向Ｄ３の外側の位置には、第２逃げ部３２ｄが形成されている。第２逃げ部３２ｄは、第１方向Ｄ１に凹んでいる。第２逃げ部３２ｄは、組み合わせ状態において、ソケットコネクタ１０における支点部１５ｃ及び連接部１８との干渉を避けるために設けられる。
【００２２】
端子３５は、金属片からなり、図３及び図８に示すように、台座部３４から第２方向Ｄ２側に突出するソケット側接続部３５ａと、底板部３８を介して前壁部３２ａから第４方向Ｄ４側に突出する基板側接続部３５ｂとを備える。ソケット側接続部３５ａは、組み合わせ状態において、ソケットコネクタ１０におけるケーブル１１の端子（図示せず）と電気的に接続する。基板側接続部３５ｂは、回路基板４０における配線などに電気的に接続されると共に、半田付けなどにより回路基板４０に機械的に固定される。
【００２３】
一対の側壁部３２ｂ，３２ｂは、その第４方向Ｄ４の中央部が、第３方向Ｄ３の内側に向けて突出した側壁部凸部３２ｃとなっている。
ベースコネクタ３０においては、底板部３８（台座部３４を含む）、略「コ」字状の周壁部３２によって収容空間３９が形成される。収容空間３９は、第２方向Ｄ２側及び第５方向Ｄ５側が開放している。組み合わせ状態において、収容空間３９には、ソケットハウジング１２における第１方向Ｄ１側の大部分が収容される。
【００２４】
図１及び図３に示すように、ベースハウジング３１の前壁部３２ａの外面（第４方向Ｄ４側の面）には、ラッチ部３６が設けられている。ラッチ部３６は、ソケットコネクタ１０におけるロックアーム１５のフック部１５ａ（詳細は後述）と係合する。ラッチ部３６の外面側には、ラッチ部３６における第２方向Ｄ２側から、第１方向Ｄ１に向かうと共に第４方向Ｄ４に向かって傾斜する斜面部３７ｂと、斜面部３７ｂにおける第１方向Ｄ１側に位置する係合突起３７ａとが設けられている。
【００２５】
次に、前述したベースコネクタ３０と組み合わされて使用される、第１実施形態のソケットコネクタ１０について説明する。
図１及び図２に示すように、第１実施形態のソケットコネクタ１０は、ソケットハウジング１２と、ロックアーム１５と、ケーブル１１とを備える。
ソケットハウジング１２は、全体視で略直方体形状を有している。ロックアーム１５は、ソケットハウジング１２の第４方向Ｄ４側の外面に連結されている。ケーブル１１は、その端子（図示せず）がソケットハウジング１２の内部に配置されており、その他端部側がソケットハウジング１２から第５方向Ｄ５に延出している。ケーブル１１の端子は、組み合わせ状態において、ベースコネクタ３０の端子３５と電気的に接続する。
【００２６】
図１〜図７に示すように、ロックアーム１５は、第１方向Ｄ１に延びるフック部１５ａと、第２方向Ｄ２に延びる力点部１５ｂと、フック部１５ａと力点部１５ｂの間に位置し且つソケットハウジング１２の外面に連接される支点部１５ｃとを備える。ロックアーム１５は、支点部１５ｃを中心にフック部１５ａ及び力点部１５ｂが回動可能に構成されている。
【００２７】
フック部１５ａは、全体視で板状であり、その先端部（第１方向Ｄ１側の端部）は、第５方向Ｄ５側に突出する係合突起となっている。フック部１５ａは、支点部１５ｃを支点として第３方向Ｄ３に沿う回動軸を中心に回動し、第５方向Ｄ５側に向けて又は第４方向Ｄ４側に向けて、所定角度の範囲で回動自在になっている。力点部１５ｂが第５方向Ｄ５に回動された状態において、フック部１５ａには、第５方向Ｄ５に向けて回動するように付勢力が生じる。
【００２８】
力点部１５ｂは、全体視で板状であり、その先端部（第２方向Ｄ２側の端部）は、第４方向Ｄ４側に膨出する膨出部となっている。該膨出部は、力点部１５ｂを指などで押す際の押しやすさを向上させるために設けられている。力点部１５ｂは、支点部１５ｃを挟んでフック部１５ａと第２方向Ｄ２側の反対側に位置している。力点部１５ｂは、支点部１５ｃを支点として第３方向Ｄ３に沿う回動軸を中心に回動し、第４方向Ｄ４側に向けて又は第５方向Ｄ５側に向けて、所定角度の範囲で回動自在になっている。
【００２９】
ソケットハウジング１２は当接面２１を有する。当接面２１は、ソケットハウジング１２における支点部１５ｃと連接する連接部１８に位置すると共に、組み合わせ状態においてベースコネクタ３０における第２方向Ｄ２側の端面と当接する面である。本実施形態においては、当接面２１は、ベースコネクタ３０の周壁部３２の前壁部３２ａにおける第２方向Ｄ２側の端面と当接する。
【００３０】
図５、図９、図１０などに示すように、支点部１５ｃは、第３方向Ｄ３に離間して２個（１対）設けられる。つまり、支点部１５ｃは、第３方向Ｄ３には非連続となっている。そして、図３、図５、図７などに示すように、支点部１５ｃは、当接面２１よりも第１方向Ｄ１側に位置している。
【００３１】
図１、図６、図７、図１０などに示すように、ソケットハウジング１２の連接部１８には、第１方向Ｄ１側に開口する第１切り欠き部１９が設けられている。第１切り欠き部１９は、第３方向Ｄ３に視た場合に矩形状を有しており、また、第３方向Ｄ３の全域に亘っている。第１切り欠き部１９よりも第４方向Ｄ４側及び第５方向Ｄ５側には、連接部１８が存在している。
【００３２】
図１、図６、図７などに示すように、ソケットハウジング１２には、開放空間２０が形成されている。開放空間２０は、連接部１８における第１方向Ｄ１側に形成された、第１方向Ｄ１側に開放する空間である。
開放空間２０は、前記組み合わせ状態において、ベースコネクタ３０におけるラッチ部３６が連結される周壁部３２（つまり前壁部３２ａ）が収容される空間である。
【００３３】
図１、図５、図６、図１０などに示すように、ソケットハウジング１２は、ストッパ２３を備える。ストッパ２３は、フック部１５ａが支点部１５ｃを中心に回動した際に、開放空間２０へのフック部１５ａの過剰な進入を阻止するために設けられる。「開放空間２０へのフック部１５ａの過剰な進入を阻止する」とは、開放空間２０へフック部１５ａを全く進入させない場合のみならず、開放空間２０にフック部１５ａが進入したとしても支点部１５ｃの機能が失われない範囲で、開放空間２０へのフック部１５ａの進入を阻止することを意味する。支点部１５ｃの機能が失われる例としては、支点部１５ｃの破断、破壊、塑性変形などが挙げられる。
【００３４】
ストッパ２３は、ソケットハウジング１２における、ロックアーム１５の回動軸方向（第３方向Ｄ３）の中心部に対向する位置に１個設けられている。
ストッパ２３は、ソケットコネクタ１０とベースコネクタ３０とを組み合わせる際に、逃げ部３３（図８参照）の内部に案内されるように形成されている。本実施形態においては、ストッパ２３は、組み合わせ状態において逃げ部３３と対向する位置に設けられると共に、逃げ部３３よりも若干小さい形状を有している。
【００３５】
図４，図９、図１０などに示すように、ソケットハウジング１２における第４方向Ｄ４に沿う一対の外面には、第３方向Ｄ３の内側に向かって凹んだ外面凹部２４，２４が形成されている。外面凹部２４は、組み合わせ状態において、ベースコネクタ３０の側壁部凸部３２ｃ（図８参照）と対向する位置に設けられると共に、側壁部凸部３２ｃよりも若干大きい形状を有している。従って、ソケットコネクタ１０とベースコネクタ３０とを組み合わせる際に、側壁部凸部３２ｃは、第１方向Ｄ１に外面凹部２４に挿入され、挿入ガイドとして機能する。
【００３６】
ソケットハウジング１２においては、第２方向Ｄ２側における第４方向Ｄ４に沿う縁部は、第３方向Ｄ３の外側に延出し、つば部１２ａを形成している。つば部１２ａは、ソケットコネクタ１０の着脱時にソケットハウジング１２の摘みやすさを向上させる。
【００３７】
図１、図２、図３、図８などに示すように、ソケットコネクタ１０とベースコネクタ３０とは次のように組み合わされ、ソケット−ベースコネクタ対が形成される。側壁部凸部３２ｃと外面凹部２４とを対向させ、開放空間２０と周壁部３２の前壁部３２ａとを対向させ、ストッパ２３と逃げ部３３とを対向させ、支点部１５ｃと第２逃げ部３２ｄとを対向させた状態において、ソケットコネクタ１０とベースコネクタ３０とを第１方向Ｄ１又は第２方向Ｄ２に相対的に接近させる。その結果、側壁部凸部３２ｃが外面凹部２４に挿入され、周壁部３２の前壁部３２ａが開放空間２０に挿入され、ストッパ２３が逃げ部３３に挿入され、支点部１５ｃが第２逃げ部３２ｄに挿入される。
【００３８】
また、図１及び図３に示すように、ロックアーム１５のフック部１５ａは、ラッチ部３６の斜面部３７ｂを摺動して、支点部１５ｃを中心に第４方向Ｄ４に回動しながら、係合突起３７ａを乗り越え、ラッチ部３６に係合する。このように、フック部１５ａとラッチ部３６とが係合されることにより、ソケットコネクタ１０とベースコネクタ３０との結合状態が維持される。
【００３９】
一方、ソケットコネクタ１０とベースコネクタ３０との結合状態を解除する際には、力点部１５ｂを押すことにより、フック部１５ａが支点部１５ｃを中心に第４方向Ｄ４に回動する。その状態で、ソケットコネクタ１０とベースコネクタ３０とを第１方向Ｄ１又は第２方向Ｄ２に相対的に離間させることにより、ソケットコネクタ１０とベースコネクタ３０の結合状態を解除することができる。
【００４０】
以上の構成を有する第１実施形態のソケットコネクタ１０によれば、以下の効果が奏される。
第１実施形態のソケットコネクタ１０においては、支点部１５ｃは、当接面２１よりも第１方向Ｄ１側に位置している。そのため、ソケットコネクタ１０の薄型化を図った場合においても、支点部１５ｃから力点部１５ｂの先端までの距離を十分に確保することができる。そのため、力点部１５ｂを押してロックアーム１５を容易に回動させることができる。つまり、ソケットコネクタ１０の薄型化とロックアーム１５の回動性の確保を両立することができる。
【００４１】
また、ソケットハウジング１２における連接部１８には、第１方向Ｄ１側に開口する第１切り欠き部１９が設けられている。そのため、ソケットコネクタ１０とベースコネクタ３０との着脱を繰り返すことにより、支点部１５ｃを中心とするフック部１５ａ及び力点部１５ｂの回動が繰り返されたとしても、ロックアーム１５の支点部１５ｃへの応力の負担が少ない。その結果、ロックアーム１５がへたり、ロック機能が十分に機能しなくなることを抑制できる。
【００４２】
次に、本発明の他の実施形態について説明する。他の実施形態については、主として、第１実施形態とは異なる点を説明し、第１実施形態と同様の構成について同じ符号を付し、説明を省略する。他の実施形態について特に説明しない点については、第１実施形態についての説明が適宜適用される。他の実施形態においても、第１実施形態と同様の効果が奏される。
【００４３】
図１１は、第２実施形態のソケットコネクタにおけるソケットハウジングを示す部分底面図（図１０対応図）である。図１２は、図１１に示すＣ−Ｃ線断面図（図７対応図）である。
図１１及び図１２に示すように、第２実施形態のソケットコネクタ１０におけるソケットハウジング１２は、第１実施形態におけるソケットハウジング１２に比して、第１切り欠き部１９の位置及び形状が主として異なる。その他の構成は、第１実施形態と同様である。
【００４４】
具体的には、第２実施形態においては、第１切り欠き部１９は、ソケットハウジング１２の連接部１８に、第１方向Ｄ１側に開口すると共に第５方向Ｄ５側に開口している。また、第１切り欠き部１９は、第２方向Ｄ２に向けて且つ第５方向Ｄ５に向けて傾斜している。第１切り欠き部１９は、第３方向Ｄ３の全域に亘っている。
【００４５】
図１３は、第３実施形態のソケットコネクタにおけるソケットハウジングを示す部分底面図（図１１対応図）である。図１４は、図１３に示すＤ−Ｄ線断面図（図１１対応図）である。
図１３及び図１４に示すように、第３実施形態のソケットコネクタ１０におけるソケットハウジング１２は、第２実施形態におけるソケットハウジング１２に比して、第１切り欠き部１９の形状が主として異なる。その他の構成は、第２実施形態と同様である。
【００４６】
具体的には、第３実施形態においては、第１切り欠き部１９は、第３方向Ｄ３の全域に亘っておらず、連接部１８における第３方向Ｄ３の中央部のみに設けられている。第１切り欠き部１９よりも第３方向Ｄ３の外側には、連接部１８が存在している。
【００４７】
図１５は、第４実施形態のソケットコネクタにおけるソケットハウジングを示す部分底面図（図１０対応図）である。図１６は、図１５に示すＥ−Ｅ線断面図（図７対応図）である。
図１５及び図１６に示すように、第４実施形態のソケットコネクタ１０は、第１実施形態におけるソケットコネクタ１０に比して、連接部１８に第１切り欠き部１９が設けられておらず、その代わりに、支点部１５ｃに第２切り欠き部１６が設けられている点が主として異なる。その他の構成は、第１実施形態と同様である。
【００４８】
具体的には、第４実施形態においては、支点部１５ｃに第２切り欠き部１６が設けられている。第２切り欠き部１６は、支点部１５ｃにおける第１方向Ｄ１側に、第１方向Ｄ１側に開口している。第２切り欠き部１６は、第３方向Ｄ３に視た場合に矩形状を有しており、また、第３方向Ｄ３の全域に亘っている。
【００４９】
第４実施形態においては、支点部１５ｃに第２切り欠き部１６が設けられているため、支点部１５ｃ自体の剛性が低くなり、特に、第５方向Ｄ５へのフック部１５ａの回動性が向上する。
【００５０】
図１７は、第５実施形態のソケットコネクタにおけるソケットハウジングを示す部分底面図（図１５対応図）である。図１８は、図１７に示すＦ−Ｆ線断面図（図１６対応図）である。
図１７及び図１８に示すように、第５実施形態のソケットコネクタ１０における支点部１５ｃは、第４実施形態における支点部１５ｃに比して、第２切り欠き部１６の形状が主として異なる。その他の構成は、第４実施形態と同様である。
【００５１】
具体的には、第５実施形態においては、第２切り欠き部１６は、第３方向Ｄ３の全域に亘っておらず、支点部１５ｃにおける第３方向Ｄ３の中央部のみに設けられている。第２切り欠き部１６よりも第３方向Ｄ３の外側には、支点部１５ｃが存在している。
【００５２】
図１９は、第６実施形態のソケットコネクタにおけるソケットハウジングを示す部分平面図（図９対応図）である。図２０は、図１９に示すＧ−Ｇ線断面図（図７対応図）である。
図１９及び図２０に示すように、第６実施形態のソケットコネクタ１０は、第１実施形態のソケットコネクタ１０に比して、第１切り欠き部１９が設けられておらず、その代わりに、第３切り欠き部１７が設けられている点が主として異なる。その他の構成は、第１実施形態と同様である。
【００５３】
具体的には、第６実施形態においては、支点部１５ｃに第３切り欠き部１７が設けられている。第３切り欠き部１７は、支点部１５ｃにおける第２方向Ｄ２側に、第２方向Ｄ２側に開口している。第３切り欠き部１７は、第３方向Ｄ３に視た場合に矩形状を有しており、また、第３方向Ｄ３の全域に亘っている。
【００５４】
第６実施形態においては、支点部１５ｃに第３切り欠き部１７が設けられているため、支点部１５ｃ自体の剛性が低くなり、特に、第４方向Ｄ４への力点部１５ｂの回動性が向上する。
【００５５】
図２１は、第７実施形態のソケットコネクタにおけるソケットハウジングを示す部分底面図（図１９対応図）である。図２２は、図２１に示すＨ−Ｈ線断面図（図２０対応図）である。
図２１及び図２２に示すように、第７実施形態のソケットコネクタ１０における支点部１５ｃは、第６実施形態における支点部１５ｃに比して、第３切り欠き部１７の形状が主として異なる。その他の構成は、第６実施形態と同様である。
【００５６】
具体的には、第７実施形態においては、第３切り欠き部１７は、第３方向Ｄ３の全域に亘っておらず、支点部１５ｃにおける第３方向Ｄ３の中央部のみに設けられている。第３切り欠き部１７よりも第３方向Ｄ３の外側には、支点部１５ｃが存在している。
【００５７】
以上、本発明の実施形態について説明したが、本発明は前述した実施形態に制限されるものではなく、適宜変更が可能である。
例えば、支点部１５ｃの個数、位置、大きさ、形状、間隔などに特に制限はない。また、ストッパ２３の個数、位置、大きさ、形状、間隔などに特に制限はない。また、第１切り欠き部１９、第２切り欠き部１６及び第３切り欠き部１７の位置、大きさ、形状などに特に制限はない。
【図面の簡単な説明】
【００５８】
【図１】本発明の第１実施形態のソケットコネクタとベースコネクタとを分離した状態でベースコネクタ側から視た斜視図である。
【図２】第１実施形態のソケットコネクタとベースコネクタとを組み合わせた状態でベースコネクタ側から視た斜視図である。
【図３】組み合わされた状態のソケットコネクタ及びベースコネクタを、図９に示すＡ−Ａ線で切断した断面図である。
【図４】第１実施形態のソケットコネクタにおけるソケットハウジングの斜視図である。
【図５】図４に示すソケットハウジングについて、ロックアームの支点部１５ｃを通り且つ第３方向Ｄ３に沿って切断した断面図である。
【図６】図４に示すソケットハウジングについて、図１０に示すＢ−Ｂ線で切断した断面図である。
【図７】図４に示すソケットハウジングについて、図９に示すＡ−Ａ線で切断した断面図である。
【図８】第１実施形態のソケットコネクタと組み合わせて使用されるベースコネクタを示す斜視図である。
【図９】図４に示すソケットハウジングの平面図である。
【図１０】図４に示すソケットハウジングの底面図である。
【図１１】第２実施形態のソケットコネクタにおけるソケットハウジングを示す部分底面図（図１０対応図）である。
【図１２】図１１に示すＣ−Ｃ線断面図（図７対応図）である。
【図１３】第３実施形態のソケットコネクタにおけるソケットハウジングを示す部分底面図（図１１対応図）である。
【図１４】図１３に示すＤ−Ｄ線断面図（図１１対応図）である。
【図１５】第４実施形態のソケットコネクタにおけるソケットハウジングを示す部分底面図（図１０対応図）である。
【図１６】図１５に示すＥ−Ｅ線断面図（図７対応図）である。
【図１７】第５実施形態のソケットコネクタにおけるソケットハウジングを示す部分底面図（図１５対応図）である。
【図１８】図１７に示すＦ−Ｆ線断面図（図１６対応図）である。
【図１９】第６実施形態のソケットコネクタにおけるソケットハウジングを示す部分平面図（図９対応図）である。
【図２０】図１９に示すＧ−Ｇ線断面図（図７対応図）である。
【図２１】第７実施形態のソケットコネクタにおけるソケットハウジングを示す部分底面図（図１９対応図）である。
【図２２】図２１に示すＨ−Ｈ線断面図（図２０対応図）である。
【図２３】従来のソケットコネクタにおけるソケットハウジングを、ロックアームの支点部を通るように切断した断面図である。
【符号の説明】
【００５９】
１０  ソケットコネクタ
１２  ソケットハウジング
１５  ロックアーム
１５ａ  フック部
１５ｂ  力点部
１５ｃ  支点部
１６  第２切り欠き部
１７  第３切り欠き部
１８  連接部
１９  第１切り欠き部
２０  開放空間
２１  当接面
２３  ストッパ
３０  ベースコネクタ
３２  周壁部
３２ａ  前壁部
３３  逃げ部
３６  ラッチ部
４０  回路基板
Ｄ１  第１方向
Ｄ２  第２方向
【図１】
0005134416.tif 000002
【図２】
0005134416.tif 000003
【図３】
0005134416.tif 000004
【図４】
0005134416.tif 000005
【図５】
0005134416.tif 000006
【図６】
0005134416.tif 000007
【図７】
0005134416.tif 000008
【図８】
0005134416.tif 000009
【図９】
0005134416.tif 000010
【図１０】
0005134416.tif 000011
【図１１】
0005134416.tif 000012
【図１２】
0005134416.tif 000013
【図１３】
0005134416.tif 000014
【図１４】
0005134416.tif 000015
【図１５】
0005134416.tif 000016
【図１６】
0005134416.tif 000017
【図１７】
0005134416.tif 000018
【図１８】
0005134416.tif 000019
【図１９】
0005134416.tif 000020
【図２０】
0005134416.tif 000021
【図２１】
0005134416.tif 000022
【図２２】
0005134416.tif 000023
【図２３】
0005134416.tif 000024